(57)【要約】【課題】口金を原因とする制光体の制光片間領域の明るさの不均一を改善できる照明器具を提供する。【解決手段】器具本体１１と、この本体に取付けられた環形蛍光ランプ２１と、間隔的に並べられた多数のバッフル片（制光片）４４を有してランプ２１と対向するように器具本体１１に取付けられたバッフル（制光体）４１とを具備する。ランプ２１に、環状のバルブ２２の両端部にわたって口金２３が装着されるとともに、バルブ２２の一端部に設けた第１の電極のマウント高さよりもバルブ２２の他端部に設けた第２の電極のマウント高さを大きくしたランプ２１を用いる。ランプ２１に対するバッフル４１の配置を、各バッフル片４４の内で口金２３に対向する一枚のバッフル片（制光片）４４ａを、口金２３のセンターＣよりも第２の電極側に寄せた配置とする。【選択図】図２
2006100253.tif 000002
【特許請求の範囲】
【請求項１】
器具本体と；
この器具本体に取付けられる環形蛍光ランプであって、環状のバルブの両端部にわたって口金が装着されるとともに、前記バルブの一端部に設けた第１の電極のマウント高さよりも前記バルブの他端部に設けた第２の電極のマウント高さを大きくした環形蛍光ランプと；
間隔的に並べられた多数の制光片を有して前記蛍光ランプと対向するように前記器具本体に取付けられた制光体であって、前記各制光片の内で前記口金に対向する一枚の制光片が、前記口金のセンターよりも前記第２の電極側に寄せて配置された制光体と；
を具備したことを特徴とする照明器具。
【請求項２】
器具本体と；
この器具本体に取付けられる環形蛍光ランプと；
間隔的に並べられた多数の制光片を有し、これら制光片の内の一枚の制光片を前記環形蛍光ランプの口金に対向させて前記蛍光ランプと対向するように前記器具本体に取付けられた制光体であって、前記一枚の制光片を境に隣接した制光片間領域の夫々の間隔が、これら一対の制光片間領域を挟むように位置した他の制光片間領域の間隔より大きく形成された制光体と；
を具備したことを特徴とする照明器具。
【発明の詳細な説明】
【技術分野】
【０００１】
本発明は、環形蛍光ランプとこれに対向する制光体を備えた照明器具に関する。
【背景技術】
【０００２】
従来、間隔的に設けられた多数の制光片例えばバッフル片を有したバッフルをランプに対向させて配置した照明器具では、ランプソケットに支持されたランプの口金を、バッフル片間の領域に対向させた技術が知られている（例えば特許文献１参照。）。
【０００３】
また、環形蛍光ランプでは、そのバルブ（透光性放電容器）内の水銀蒸気圧をバルブの最冷部の温度によって略最適値に規制して、高い発光効率を得ることが行われている。このために、バルブの一端部に設けた第１の電極のマウント高さよりもバルブの他端部に設けた第２の電極のマウント高さを大きくして、第２の電極のマウント高さに相当するバルブの他端部で、その管壁温度が最も低くなる最冷部を形成する技術が知られている（例えば特許文献２参照。）。
【０００４】
第１の電極のマウントはローマウントと称され、第２の電極のマウントはハイマウントと称される。そして、ローマウント側のバルブ端部から第１の電極までの明るさは、ハイマウント側のバルブ端部から第２の電極までの明るさに比較して相対的に明るく、したがって、この逆に、ハイマウント側のバルブ端部から第２の電極までの明るさは、ローマウント側のバルブ端部から第１の電極までの明るさに比較して相対的に暗いことも知られている。
【特許文献１】実開平6−50142号公報（請求項１、図１−図２）
【特許文献２】特開2002−237275号公報（段落0008、0030、図２）
【発明の開示】
【発明が解決しようとする課題】
【０００５】
ランプに対向して配置された多数の制光片を有する制光体は、その制光片により所定の遮光角を得るためなどに使用されている。この種の制光体を備えた照明器具で、一つの制光片間領域にランプの口金全体が対向する場合には、この一つの制光片間領域の大きさを、他の制光片間領域より大きくすることで、口金全体が対向した前記一つの制光片間領域の明るさとその他の制光片間領域の明るさの不均一を改善することが可能である。しかし、そのためには、口金全体が対向した前記一つの制光片間領域をかなり大きくしなければならないから、制光片間隔の不揃いが目立ち易くなって器具外観上は好ましくない。その上、口金全体が対向した前記一つの制光片間領域を仕切る制光片による制光機能、例えば所定の遮光角を作る機能が、他の制光片が作る遮光角より大きく異なってしまうので、制光体の機能としても好ましくない。
【０００６】
そのため、各制光片間領域の大きさに極端な差が生じないように構成すると、特許文献１で例示されるように一枚の制光片が口金と対向するようになる。
【０００７】
こうした特許文献１の照明器具では、ソケットに支持されたランプの口金が対向するバッフル片間領域が、これら口金及びソケットの存在によって暗くなり、この暗い領域に対して、口金及びソケットが配置されていない他のバッフル片間領域は相対的に明るくなる。つまり、バッフルの各バッフル片間の夫々の領域の明るさが不均一になるので好ましくない。
【０００８】
また、特許文献２には、環形蛍光ランプに対してバッフルがどのように配置されるかという点についての記載がない。環形蛍光ランプに対するバッフルの配置において、特許文献１の技術を適用した場合にも、この環形蛍光ランプの口金が配置されたバッフル片間領域は、その他のバッフル片間領域に比較して相対的に暗くなる。
【０００９】
そこで、本発明者は、環形蛍光ランプの口金のセンターに一枚のバッフル片を対向させて、隣接した二つのバッフル片間領域にわたって口金が配置される構成の照明器具を試作した。この場合、口金による明るさの差は幾分改善されたが、十分ではなく、改善の余地があることがわかった。
【００１０】
又、環形蛍光ランプとして、ランプ内の水銀蒸気圧をバルブの一部に形成した最冷部によって最適に規制する環形蛍光ランプを用いる場合には、バルブの最冷部の影響が加わって、口金と対向するバッフル片間の夫々の領域の明るさが不均一になるので、更に改善の余地があることがわかった。
【００１１】
つまり、最冷部はハイマウント電極側にあって、この最冷部側のバルブ端部から第２の電極までの明るさは、ローマウント電極側のバルブ端部から第１の電極までの明るさよりも相対的に暗いことは既に述べた。そして、前記配置では、口金の半分の部位と暗い最冷部が対向する一つのバッフル片間領域が、これに隣接した口金の他の半分の部位と明るいローマウント側が対向するバッフル片間領域に対して相対的に暗くなるので、器具を視認したときの明るさの不均一が、目立つことがわかった。
【００１２】
本発明の目的は、口金を原因とする制光体の制光片間領域の明るさの不均一を改善できる照明器具を提供することにある。
【課題を解決するための手段】
【００１３】
前記課題を解決するために請求項１の発明は、器具本体と；この器具本体に取付けられる環形蛍光ランプであって、環状のバルブの両端部にわたって口金が装着されるとともに、前記バルブの一端部に設けた第１の電極のマウント高さよりも前記バルブの他端部に設けた第２の電極のマウント高さを大きくした環形蛍光ランプと；間隔的に並べられた多数の制光片を有して前記蛍光ランプと対向するように前記器具本体に取付けられた制光体であって、前記各制光片の内で前記口金に対向する一枚の制光片が、前記口金のセンターよりも前記第２の電極側に寄せて配置された制光体と；を具備している。
【００１４】
本発明及び以下の発明において、バルブは透光性の放電容器を指しており、このバルブの両端は一般的にステムによって構成される端板部によって閉塞されている。バルブが管状であるとは、完全な環形及び環の一部が欠如した形状を含むとともに、更に四角、円環、楕円その他の形状の環状であることを含んでいる。そして、一部が欠如した環状である場合、その欠如部を覆う合成樹脂製の口金をバルブの両端部にわって装着することができる。口金は、バルブの環状の形状に応じて直管状または湾曲管状に形成される。
【００１５】
また、本発明及び以下の発明において、一対の電極は、バルブの両端部に個別に封装されて、それらの間で水銀蒸気放電を生起させるものであって、フィラメント電極、セラミックス電極などの既知の電極を用いることができる。フィラメント電極は、タングステンの二重コイルまたは三重コイルに電子放射物質を塗布してなり、その両端がバルブの端板部を気密に貫通する構造を備えている。セラミックス電極は、例えば開口部を備えた電気伝導性の容器内にアルカリ土類元素及び遷移金属元素の酸化物を主体とし、表面を遷移金属元素または窒化物で被覆した複合セラミックスからなる熱電子放出物質を収納させてなる構造を備えていて、１本の導入線の先端に支持されている。
【００１６】
また、本発明及び以下の発明において、制光体は、バッフルまたはルーバなどであって、蛍光ランプに対向して設けられることで、所定の遮光角を得るものであったり、所定の範囲外では蛍光ランプからの直接光を遮るように機能するものである。各制光片は等間隔に配設することが好ましく、更に隣接した制光片間の相互間隔は例えば口金の全長よりも大きくするとよい。また、制光体は、環形蛍光ランプの大きさに合わせて環形に形成される枠状部に多数の制光片が一体に形成された一体構造のものであっても、多数の制光片を有した複数の制光要素を互いに連続させて環形に配置されるものであってもよい。制光体を器具本体に取付ける手段は、ねじ止め、または制光体に設けた爪を器具本体等に設けたスリット状の孔など爪受けに引っ掛ける構成、その他既知の構成を採用できる。
【００１７】
また、本発明において、電極のマウント高さとは、電極がフィラメント電極からなる場合には、電極の中心軸線からこの電極が取付けられたバルブの端板部の外面までの距離を指しており、電極がセラミックス電極からなる場合には、熱電子放出物質の表面からこの電極が取付けられたバルブの端板部の外面までの距離を指している。そして、一対の電極のマウント高さは、所定の相対的な高さの差を備えておればよい。一方の電極のマウント高さを高くするには、例えばバルブ内の導入線の長さを長くするか、または導入線を気密に貫通させて支持するステムのバルブ内に突出する高さを大きくすることによって、若しくは、これら両者を組み合わせることによって、実現できる。
【００１８】
また、本発明において、口金のセンターとは、口金の全長の丁度1/2の位置を指している。そして、本発明において、口金に対向させた一枚の制光片を、口金のセンターよりも第２の電極側つまりハイマウント側に寄せる寸法は、口金と対向する制光片を境に隣接した制光片間領域の明るさが略同様となるように定めればよい。
【００１９】
請求項１の発明では、環形蛍光ランプの口金に対向させた一枚の制光片を、口金のセンターよりも蛍光ランプの第２の電極側に寄せたので、前記一枚の制光片を境に隣接した制光片間領域の内の一方の領域に対するバルブの最冷部から外れた部位の対向面積が増えて、この領域の明るさが向上されるとともに、蛍光ランプの第１の電極が封装された側のバルブの対向面積が減って、この領域の明るさが低下する。これにより、前記制光片を境に隣接した制光片間領域の夫々の明るさの不均一が目立たないようにできる。
【００２０】
又、前記課題を解決するために請求項２の発明は、器具本体と；この器具本体に取付けられる環形蛍光ランプと；間隔的に並べられた多数の制光片を有し、これら制光片の内の一枚の制光片を前記環形蛍光ランプの口金に対向させて前記蛍光ランプと対向するように前記器具本体に取付けられた制光体であって、前記一枚の制光片を境に隣接した制光片間領域の夫々の間隔が、これら一対の制光片間領域を挟むように位置した他の制光片間領域の間隔より大きく形成された制光体と；を具備している。
【００２１】
本発明において、環形蛍光ランプには、その水銀蒸気圧を最冷部で規制する蛍光ランプ、または水銀蒸気圧を規制する最冷部を有さない蛍光ランプのいずれであってもよい。また、本発明において、口金に対向する一枚の制光片の口金に対する配置は、特に制約がない。しかし、水銀蒸気圧を最冷部で規制する環形蛍光ランプを使用する場合には、口金に対向する一枚の制光片を、口金のセンターよりも最冷部を形成するハイマウント側の電極（前記第２の電極）に寄せて配置することが、この一枚の制光片を境に隣接する制光片間領域の明るさの不均一を改善する上でより好ましい。
【００２２】
請求項２の発明では、口金と対向した一枚の制光片を境に隣接した二つの制光片間領域に口金がわたるように配置されるので、これら二つの制光片間領域の明るさの低下が抑制される。加えて、一枚の制光片を境に隣接した二つの制光片間領域の間隔が、これら二つの制光片間領域に隣接した他の制光片間領域の間隔より大きくなっている。このため、口金と対向した一枚の制光片を境に隣接した二つの制光片間領域でのバルブとの対向面積が増やされるに伴い、これら二つの制光片間領域に対向する口金による明るさの低下を軽減できる。したがって、口金に対向していない他の制光片間領域に対して、口金と対向した一枚の制光片を境に隣接した二つの制光片間領域が相対的に暗くなることが抑制されて、制光体の各制光片間領域の明るさの不均一が目立たないようにできる。
【発明の効果】
【００２３】
請求項１の発明の照明器具によれば、効率向上のための最冷部を有した環形蛍光ランプの口金に対向させた制光体の一枚の制光片の配置によって、口金を原因とする制光体の制光片間領域の明るさの不均一を改善できる。
【００２４】
請求項２の発明の照明器具によれば、環形蛍光ランプの口金に対向させた制光体の一枚の制光片を境とする二つの制光片間領域の間隔を、これらに隣接した他の制光片間領域の間隔より大きくしたことによって、口金を原因とする制光体の制光片間領域の明るさの不均一を改善できる。
【発明を実施するための最良の形態】
【００２５】
図１〜図５を参照して本発明の第１実施形態を説明する。
【００２６】
図１中符号１はシステム天井を示している。このシステム天井１は、図示しない天井枠を格子状に組んで、その仕切られた四角状空間部の夫々にこの空間に見合った形状の天井パネル２を主として装着するとともに、任意の四角状空間部に本実施形態に係る照明器具３を装着して形成されている。
【００２７】
図２及び図４に示すように照明器具３は、器具本体１１、環形の蛍光ランプ２１、及び制光体として例えばバッフル４１を備えている。
【００２８】
外形が平面視四角例えば正方形をなす器具本体１１は、中央部が正四角形状に開口された本体枠１２と、この本体枠１２に取付けられて前記中央部の開口を覆ったセンタープレート１３とを有している。センタープレート１３には、図１に示すように何も取付けなくてもよく、または煙感知器などの各種センサーや非常灯等の機器（図示しない）を取付けてもよい。本体枠１２内には、その各側壁１２ａ（図４に互いに平行な二つの側壁のみ図示する。）とセンタープレート１３との間に位置して、夫々反射板１４（図４に二つのみ代表して図示する。）が取付けられている。直角に隣接する反射板１４の端面同士は本体枠１２の四隅で互いに連続している。
【００２９】
蛍光ランプ２１は器具本体１１の外形形状に対応して四角環形をなしている。蛍光ランプ２１は、例えば管径が１６mmと細いバルブ２２を縦横各５００mmの四角環状に曲げるとともに、このバルブ２２の互いに接近した両端部にわたって装着した合成樹脂製の口金２３とを備えている。この蛍光ランプ２１を用いることで室内の天井に装着される照明器具３の厚みを薄くすることが可能である。口金２３は後述するように電極を支持する導入線に接続される口金ピン（図示しない）を有しており、この口金ピンにはランプソケットＳ（図２参照）が接続されるようになっている。口金２３の長さは（４０〜５０）mmである。
【００３０】
蛍光ランプ２１は、本体枠１２の天井壁に取付けた図示しない複数のランプホルダに支持されるとともに、反射板１４の直下に位置して器具本体１１に内蔵されている。この場合、本体枠１２の側壁１２ａとセンタープレート１３との間に配置された蛍光ランプ２１は、その口金２３を本体枠１２の一つの側壁１２ａと平行でかつこの側壁１２ａの長手方向の略中央に配置して内蔵されている。
【００３１】
図５に示すようにバルブ２２の両端は互いに向かい合うように配置されていて、これらにはステム２４又はステム２５が封着されている。これら一対のステム２４，２５は、フレアステムからなり、ステム用ガラス管の一端にピンチシール部２４ａまたは２５ａを形成し、他端にフレア部２４ｂまたは２５ｂを形成している。ステム２４のピンチシール部２４ａには一対の導入線２６が気密に貫通され、同様にステム２５のピンチシール部２５ａには一対の導入線２７が気密に貫通されている。
【００３２】
ステム２４，２５は細管２８または２９を備えている。一方の細管２８はバルブ２２の一端に配設され、他方の細管２９はバルブ２２の他端に配設されている。これらの細管２８，２９は、いずれも基端がフレア部２４ｂまたは２５ｂの奥のピンチシール部２４ａまたは２５ａの近傍部分に開口を形成して溶着され、先端が気密なチップオフ部２８ａまたは２９ａを形成してステム２４または２５から外部に突出されている。細管２８，２９は、その開口を介してバルブ２２内に連通されている。
【００３３】
一対の導入線２６の先端にフィラメント電極からなる第１の電極３０の両端を継線することによって、この電極３０がバルブ２２の一端側に封装されている。同様に、他の一対の導入線２７の先端にフィラメント電極からなる第２の電極３１の両端を継線することによって、この電極３１がバルブ２２の他端側に封装されている。
【００３４】
ステム２４、細管２８、及び第１の電極３０は、ローマウント３２を構成している。同様に、ステム２５、細管２９、及び第２の電極３１は、ハイマウント３３を構成している。これらのマウント３２，３３はいずれも口金２３の端から突出する関係に設けられている。第２の電極３１を有したハイマウント３３のマウント高さＡは、第１の電極３０を有したローマウント３２のマウント高さＢより大きい。更に、ハイマウント３３のステム２５に対向するバルブ２２の端部の管壁は、蛍光ランプ２１の点灯状態で管壁温度が最も低くなる最冷部２２ａを形成している。
【００３５】
バッフル４１は、図示しない取付け手段により蛍光ランプ２１と対向して器具本体１１に着脱可能に取付けられている。図１及び図２に示すようにバッフル４１は、制光要素として例えば４個のバッフル要素４２を四角環状に配置して形成されている。
【００３６】
バッフル要素４２は、同一の構成であり、例えば、長四角形状の枠４３に、この枠４３の短手方向に延びる多数枚の制光片として例えばバッフル片４４を取付けて形成されている。各バッフル片４４は互いに平行であってかつ等間隔に設けられている。これらのバッフル片４４は蛍光ランプ２１のバルブ２２に対して直交するような位置関係をもってバルブ直下に対向している。バッフル４１は、それが有した多数のバッフル片４４によって所定の遮光角を得ており、この遮光角はバッフル片４４間の相互間隔の大きさなどによって規定されている。なお、各バッフル片４４が等間隔であることは、各バッフル片４４での遮光角を同じにできるとともに、照明器具２３の体裁を良好にする上で好ましいが、不等間隔に各バッフル片４４を設けることも可能である。
【００３７】
四個のバッフル要素４２が図２に示すように器具本体１１の所定位置に配置された状態で、一個のバッフル要素４２の一枚のバッフル片（他のバッフル片との識別のために符号４４ａで示す。）が口金２３と対向する。このバッフル片４４ａは一つの側壁１２ａの長手方向中央部に位置されるように設けられている。このバッフル片４４ａを基準にその他のバッフル片４４が等距離に配設されている。他のバッフル要素４２が夫々有するバッフル片４４も前記等距離毎に配設されている。
【００３８】
口金２３と対向するバッフル片４４ａを有した一個のバッフル要素４２において、そのバッフル片４４ａは口金２３の直下に対向して配置されるが、それ以外のバッフル片４４は口金２３の下方への投影領域から外れて配置されている。そして、図２〜図４に示すようにバッフル片４４ａは、口金２３のセンターＣを基準として、このセンターＣよりも第２の電極３１側、つまりハイマント３３側に寄せて配置されている。この場合の寄せ寸法Ｄは、バッフル片４４ａを境に隣接したバッフル片間領域（制光片間領域）Ｅ１，Ｅ２の明るさが同様となるように設定される。この寄せ寸法Ｄは種々の実験の結果によって求めることができる。なお、本明細書において、バッフル片間領域（制光片間領域）の明るさとは、蛍光ランプ２１からの直接光及び反射板１４で反射された反射光によってもたらされる明るさを指している。
【００３９】
前記構成の照明器具３は、その環形蛍光ランプ２１と対向したバッフル４１が有する多数のバッフル片４４相互間の領域の一つに、蛍光ランプ２１の口金２３全体が対向しない構成を有している。このため、前記一つのバッフル片間領域が他の領域より暗くなることを抑制できる。
【００４０】
更に、照明器具３は、口金２３に対向させた一枚のバッフル片４４ａを、口金２３のセンターＣよりも蛍光ランプ２１の第２の電極３１側に寄せた構成を有している。これにより、口金２３に対向させた一枚のバッフル片４４ａを境に隣接したバッフル片間領域Ｅ１，Ｅ２の内の一方、具体的には寄せ側のバッフル片間領域Ｅ１については、その領域Ｅ１への口金２３の対向面積が減るとともに、バルブ２２の最冷部２２ａから外れた部位の対向面積が増える。そのため、このバッフル片間領域Ｅ１に最冷部２２ａが対向するにも拘わらず、この領域Ｅ１の明るさが向上される。
【００４１】
そして、前記寄せの構成により、他方のバッフル片間領域Ｅ２については、その領域Ｅ２への口金２３の対向面積が増えるとともに、蛍光ランプ２１の第１の電極３０が封装されたローマウント３２側のバルブ２２の対向面積が減る。そのため、このバッフル片間領域Ｅ２の明るさが低下する。
【００４２】
したがって、以上の理由により、口金２３に対向させた一枚のバッフル片４４ａを境に隣接したバッフル片間領域Ｅ１，Ｅ２の夫々の明るさが同様となって、これら一対のバッフル片間領域Ｅ１，Ｅ２が、他のバッフル片間領域に対して目立って暗くなることを抑制できる。すなわち、口金２３を原因とする各バッフル片間領域での明るさの差に起因する照明器具３の体裁を改善できる。
【００４３】
また、前記のように一枚の金属製バッフル片４４ａをハイマウント３３側の第２の電極３１に寄せたことにより、第２の電極３１側のバルブ端部周辺域の熱が前記一枚のバッフル片４４ａを介して放熱されやすくなる。このため、第２の電極３１側の最冷部２２ａが安定して形成されやすくなるとともに、蛍光ランプ２１の発光効率が向上し器具効率も向上する。
【００４４】
図６は本発明の第２実施形態を示している。第２実施形態は以下説明する事項以外は第１実施形態と同じであるので、同じ構成については第１実施形態と同一符号を付して、その説明を省略する。
【００４５】
第２実施形態では、環形蛍光ランプ２１に対向して器具本体１１に着脱可能に取付けられたバッフル４１が有する多数のバッフル片４４の内の一枚のバッフル片４４ａが、環形蛍光ランプ２１の口金２３に対向されている。バッフル片４４ａの口金２３への対向位置は、特に限定されないが、環形蛍光ランプ２１が最冷部２２ａによるランプ内水銀蒸気圧を規定するものであるため、図６に示したように口金２３のセンターＣを基準として寄せ寸法Ｄだけ、ハイマウント３３側の第２の電極３１に寄せた位置で口金２３に対向するようにバッフル片４４ａが設けられている。
【００４６】
このバッフル片４４ａを境に隣接して口金２３の一部が夫々対向した二つのバッフル片間領域（制光片間領域）Ｅ１，Ｅ２の間隔Ｘは同じである。これらバッフル片間領域Ｅ１，Ｅ２を挟むようにその両側に隣接して設けられた他のバッフル片間領域Ｅ３の間隔Ｙは同じである。バッフル片４４ａ以外の他のバッフル片４４は等間隔毎に配設されているので、更に他のバッフル片間領域Ｅ４の間隔Ｚは、前記他のバッフル片間領域Ｅ３の間隔Ｙと同じである。
【００４７】
バッフル片間領域Ｅ１，Ｅ２の間隔Ｘは、バッフル片間領域Ｅ３の間隔Ｙより大きい。一般的に多用される照明器具３でのバッフル片間領域Ｅ３の間隔Ｙが（８０〜１００）mmであるという条件下では、間隔Ｘを間隔Ｙより（３０±１０）mm大きくすることが好ましい。この設定範囲を下回ると、後述のようにバッフル片間領域Ｅ１，Ｅ２とバッフル片間領域Ｅ３との明るさの不均一を改善する効果が不十分となり易く、前記範囲を超えると、バッフル片４４の配置の不揃いが目立って照明器具３の体裁を損ない易くなる。
【００４８】
なお、更に他のバッフル片間領域Ｅ４の間隔Ｚは、間隔Ｙと同じでなくてもよいが、本実施形態のように間隔Ｙと同じとすることは、バッフル片４４ａ以外の各バッフル片４４での遮光角を同じにできるとともに、これらバッフル片４４の配置の不揃いがなく照明器具２３の体裁を良好にする上で好ましい。
【００４９】
以上説明した事項以外は、図６に示されない部分を含めて第１実施形態と同じである。この第２実施形態では、口金２３と対向した一枚のバッフル片４４ａを境に隣接した二つのバッフル片間領域Ｅ１，Ｅ２にわたるように口金２３が配置される。このため、これら二つのバッフル片間領域Ｅ１，Ｅ２の明るさが口金２３を原因として低下し、他のバッフル片間領域Ｅ３，Ｅ４より暗くなることが抑制される。加えて、一枚のバッフル片４４ａを境に隣接した二つのバッフル片間領域Ｅ１，Ｅ２の間隔Ｘを、これら二つのバッフル片間領域Ｅ１，Ｅ２を挟むように設けられた他のバッフル片間領域Ｅ３の間隔Ｙより大きくしたので、口金２３と対向した一枚のバッフル片４４ａを境に隣接した二つのバッフル片間領域Ｅ１，Ｅ２がバルブ２２と対向する面積が増やされる。それに伴い、これら二つのバッフル片間領域Ｅ１，Ｅ２に対向する口金２３による明るさの低下を軽減できる。
【００５０】
したがって、口金２３に対向していない他のバッフル片間領域Ｅ３，Ｅ４に対して、口金２３と対向した一枚のバッフル片４４ａを境に隣接した二つのバッフル片間領域Ｅ１，Ｅ２が、相対的に目立って暗くなることが抑制されて、バッフル４１の各バッフル片間領域の明るさを略同様にできる。
【００５１】
更に、既述のように一枚の金属製バッフル片４４ａを第２の電極３１側に寄せたことにより、このバッフル片４４ａを境に隣接したバッフル片間領域Ｅ１，Ｅ２の夫々の明るさが同様となり、これらバッフル片間領域Ｅ１，Ｅ２が、他のバッフル片間領域Ｅ３，Ｅ４に対して目立って暗くなることも抑制できる。その上、第２の電極３１側のバルブ端部周辺域の熱が前記一枚のバッフル片４４ａを介して放熱されやすくなる。このため、第２の電極３１側の最冷部２２ａが安定して形成されやすくなり、蛍光ランプ２１の発光効率が向上し器具効率も向上する。
【００５２】
図７は本発明の第３実施形態を示している。第３実施形態は以下説明する事項以外は第１実施形態と同じであるので、同じ構成については第１実施形態と同一符号を付して、その説明を省略する。
【００５３】
第３実施形態では、環形蛍光ランプ２１に対向して器具本体１１に着脱可能に取付けられたバッフル４１が有する多数のバッフル片４４の内の一枚のバッフル片４４ａが、環形蛍光ランプ２１の口金２３に対向されている。バッフル片４４ａの口金２３への対向位置は、特に限定されないが、正面から見た場合に例えば口金２３のセンターＣに位置されるようにバッフル片４４ａが設けられている。
【００５４】
このバッフル片４４ａを境に隣接する口金２３の一部が夫々対向した二つのバッフル片間領域（制光片間領域）Ｅ１，Ｅ２の間隔Ｘ，Ｙは、Ｘ＜Ｙの関係に設定されている。間隔が狭いバッフル片間領域Ｅ１には環形蛍光ランプ２１のバルブ２２の一端部に形成されたローマウント３２が対向して配置され、間隔が広いバッフル片間領域Ｅ２には蛍光ランプ２１のバルブ２２の他端部に形成されたハイマウント３３が対向して配置されている。バッフル片４４ａ以外の他のバッフル片４４は等間隔毎に配設されているので、バッフル片間領域Ｅ１，Ｅ２を挟むようにその両側に隣接して設けられたバッフル片間領域を含む他のバッフル片領域Ｅ３の間隔Ｚはいずれも同じであるとともに、これらの間隔Ｚはバッフル片間領域Ｅ１の間隔Ｘと同じである。
【００５５】
一般的に多用される照明器具３でのバッフル片間領域Ｅ３の間隔Ｚが（８０〜１００）mmであるという条件下では、間隔Ｙを間隔Ｘより（３０±１０）mm大きくすることが好ましい。この設定範囲を下回ると、後述のようにバッフル片間領域Ｅ１，Ｅ２とバッフル片間領域Ｅ３との明るさの不均一を改善する効果が不十分となり易く、前記範囲を超えると、バッフル片の配置の不揃いが目立って照明器具３の体裁を損ない易くなる。
【００５６】
なお、前記他のバッフル片間領域Ｅ３の間隔Ｚは、間隔Ｘと同じでなくてもよいが、本実施形態のように間隔Ｚを間隔Ｘと同じとすることは、バッフル片４４ａ以外の各バッフル片４４での遮光角を同じにできるとともに、これらバッフル片４４の配置の不揃いがなく照明器具３の体裁を良好にする上で好ましい。
【００５７】
以上説明した事項以外は、図７に示されない部分を含めて第１実施形態と同じである。この第３実施形態では、口金２３と対向した一枚のバッフル片４４ａを境に隣接した二つのバッフル片間領域Ｅ１，Ｅ２にわたるように口金２３が配置されるので、これら二つのバッフル片間領域Ｅ１，Ｅ２の明るさが低下して他の領域Ｅ３より暗くなることが抑制される。
【００５８】
加えて、蛍光ランプ２１の第２の電極３１に対向するバッフル片間領域Ｅ２は、それ以外のバッフル片間領域Ｅ１、Ｅ３よりも広いので、このバッフル片間領域Ｅ２へのバルブ２２の対向面積が増える。そのため、バッフル片間領域Ｅ２にハイマウント３３に基づく最冷部２２ａが対向するにも拘わらず、この領域Ｅ２の明るさが向上される。
【００５９】
したがって、以上の理由により、口金２３に対向させた一枚のバッフル片４４ａを境に隣接したバッフル片間領域Ｅ１，Ｅ２の夫々の明るさが、他のバッフル間領域Ｅ３に対して目立って暗くなることを抑制できる。すなわち、口金２３及びハイマウント３３を原因とする各バッフル片間領域での明るさの差に起因する照明器具３の体裁を改善できる。
【図面の簡単な説明】
【００６０】
【図１】本発明の第１実施形態に係る照明器具がシステム天井に設置された状態を示す斜視図。
【図２】図１の照明器具を示す正面図。
【図３】図１の照明器具の一部を拡大して示す正面図。
【図４】図１中Ｆ４−Ｆ４線に沿って示す断面図。
【図５】図１の照明器具が備える環形蛍光ランプの口金まわりを一部切欠いて示す正面図。
【図６】本発明の第２実施形態に係る照明器具の一部を拡大して示す正面図。
【図７】本発明の第３実施形態に係る照明器具の一部を拡大して示す正面図。
【符号の説明】
【００６１】
３…照明器具、１１…器具本体、２１…環形蛍光ランプ、２２…バルブ、２２ａ…最冷部、２３…口金、３０…第１の電極、３１…第２の電極、３２…マウント高さが低いマウント、３３…マウント高さが高いマウント、Ａ，Ｂ…マウント高さ、４１…バッフル（制光体）、４４…バッフル片（制光片）、４４ａ…基準となる一枚のバッフル片（制光片）、Ｃ…口金のセンター、Ｄ…寄せ寸法、Ｅ１，Ｅ２…バッフル片４４ａを境として隣接するバッフル片間領域（制光片間領域）
【図１】
2006100253.tif 000003
【図２】
2006100253.tif 000004
【図３】
2006100253.tif 000005
【図４】
2006100253.tif 000006
【図５】
2006100253.tif 000007
【図６】
2006100253.tif 000008
【図７】
2006100253.tif 000009